(57)【要約】【課題】イヤホンの使用者に正確な装着状態を知らせる。【解決手段】イヤホン本体１と、このイヤホン本体１の人体への装着状態を検出する検出部３と、この検出部３に検出された装着状態と、予め記憶された装着状態のデータとによって前記イヤホン本体を制御する制御部２とを有する。【選択図】図１
2020150320.tif 000002
【特許請求の範囲】
【請求項１】
イヤホン本体と、
このイヤホン本体の人体への装着状態を検出する検出部と、
この検出部に検出された装着状態と、予め記憶された装着状態のデータとによって前記イヤホン本体を制御する制御部と、
を有するイヤホン。
【請求項２】
前記制御部は、使用者から所定の信号が入力されたことを条件として、入力された時点で前記検出部に検出された装着状態のデータを記憶部に記憶させる、
請求項１に記載のイヤホン。
【請求項３】
前記検出部は、複数の地点で人体への装着状態を検出し、
前記制御部は、前記複数の地点の装着状態を予め記憶されたデータと比較する、
請求項１または２のいずれか１項に記載のイヤホン。
【請求項４】
前記検出部は、圧力センサである、請求項１〜３のいずれか１項に記載のイヤホン。
【請求項５】
前記検出部は、タッチセンサである、請求項１〜３のいずれか１項に記載のイヤホン。
【請求項６】
前記検出部は、加速度センサである、請求項１〜３のいずれか１項に記載のイヤホン。
【請求項７】
イヤホン本体の人体への装着状態を検出する検出部と、
該検出部により検出された装着状態のデータを記憶する記憶部と、
この記憶部に予め記憶された装着状態のデータと、検出部に検出された装着状態のデータとによって前記イヤホン本体を駆動する駆動部を制御する制御部と、
を有するイヤホンの制御装置。
【請求項８】
イヤホン本体の人体への装着状態を検出する工程と、
検出された装着状態のデータを記憶する工程と、
検出された装着状態と、予め記憶された装着状態のデータとによって前記イヤホン本体を駆動する駆動部を制御する工程と、
を有するイヤホンの制御方法。
【発明の詳細な説明】
【技術分野】
【０００１】
本発明は、イヤホン、イヤホンの制御装置、およびイヤホンの制御方法に関する。
【背景技術】
【０００２】
耳挿入型のイヤホンは、外耳道（あるいは耳介の内側のいずれかの皮膚の表面）にイヤピースあるいはイヤホン本体を挿入して使用されるが、イヤホンが毎回同じ位置に装着されるとは限らない。したがって、イヤホンの挿入位置や角度によって、音の聞こえ方が異なることがある。特許文献１には、イヤピースの素材／形状を工夫することにより、耳との密着度を上げて音質を改善する技術が開示されているが、イヤホンの抜き差しを繰り返す度に、毎回同じ位置に装着することは出来るとは限らない。
【０００３】
上記のイヤホンに関連する技術として、特許文献２〜４が提案されている。
特許文献２は、タッチスイッチにより、単に人体へ装着されたか否かを検出する技術に関する。
特許文献３は、感圧センサにより、単に人体に装着されたか否かを検出技術に関する。
特許文献４は、例えばモーションセンサ、マイクロホンにより、人体の活動状態を検出し、検出された状態に基づいてオーディオ出力の制御、例えば音量調節や、活動状態に関連したプログラムの選択を行う技術に関する。
【先行技術文献】
【特許文献】
【０００４】
【特許文献１】特開２００６−１１５０６０号公報
【特許文献２】実開昭６２−１１１１５２号公報
【特許文献３】特開２００２−００９９１８号公報
【特許文献４】特表２０１７−５３９１５９号公報
【発明の概要】
【発明が解決しようとする課題】
【０００５】
しなしながら、特許文献１〜４のいずれにも、抜き差しの度に装着位置、角度が微妙に異なることに起因して音質が不安定になるという課題、および、この課題を解決する具体的な手段が開示されていない。
【０００６】
すなわち、特許文献１に記載された技術によっては、装着状態の再現性を担保することができない。
また特許文献２、３に記載された技術は、単に装着された否かを判定することができるに過ぎない。
また特許文献４の技術は、イヤホンの耳に対する装着状態そのものを改善するものではない。
【０００７】
この発明は、イヤホン装着者にとって良好な装着状態を維持することを目的とする。
【課題を解決するための手段】
【０００８】
上記課題を解決するために、この発明は以下の手段を提案している。
本発明の第１態様にかかるイヤホンは、イヤホン本体と、このイヤホン本体の人体への装着状態を検出する検出部と、この検出部に検出された装着状態と、予め記憶された装着状態のデータとによって前記イヤホン本体を制御する制御部とを有する。
【０００９】
本発明の第２態様にかかるイヤホンの制御装置は、イヤホン本体の人体への装着状態を検出する検出部と、該検出部により検出された装着状態のデータを記憶する記憶部と、この記憶部に予め記憶された装着状態のデータと、検出部に検出された装着状態のデータとによって前記イヤホン本体を駆動する駆動部を制御する制御部とを有する。
【００１０】
本発明の第３態様にかかるイヤホンの制御方法は、イヤホン本体の人体への装着状態を検出する工程と、検出された装着状態のデータを記憶する工程と、検出された装着状態と、予め記憶された装着状態のデータとによって前記イヤホン本体を駆動する駆動部を制御する工程とを有する。
【発明の効果】
【００１１】
本発明によれば、イヤホンの装着者が良好な状態でイヤホンを装着することができる。
【図面の簡単な説明】
【００１２】
【図１】最少構成例にかかるイヤホンのブロック図である。
【図２】最少構成例にかかるイヤホンの制御装置のブロック図である。
【図３】第１実施形態にかかるイヤホンを示すもので、（ステップＡ）は正面図、（ｂ）は側面図である。
【図４】第１実施形態にかかるイヤホンの制御装置のブロック図である。
【図５】図４の制御装置で実行される処理を示すフローチャートである。
【図６】第２実施形態にかかるイヤホンの制御装置のブロック図である。
【図７】図６のイヤホンの制御装置で実行される処理を示すフローチャートである。
【図８】第３実施形態にかかるイヤホンを示すもので、（ステップＡ）は正面図、（ｂ）は側面図である。
【図９】第３実施形態にかかるイヤホンの制御装置のブロック図である。
【図１０】図９のイヤホンの制御装置で実行される処理を示すフローチャートである。
【発明を実施するための形態】
【００１３】
本発明の最少構成例にかかるイヤホンについて、図１を参照して説明する。
符号１はイヤホン本体で、このイヤホン本体１は、電気信号を機械振動に変換することによって、音声を出力する。このイヤホン本体１の動作は制御部２によって制御され、この制御部２は、検出部３により検出された装着状態に関するデータが入力される。前記制御部２は、イヤホン本体１と一体に設けられていても、別体に設けられていて、無線、有線の通信を介してイヤホン本体１を制御しても良い。
【００１４】
上記構成のイヤホンにあっては、検出部３によって、イヤホン本体１の装着状態、例えば、イヤホン本体１を人体に装着した際に受ける圧力、イヤホン本体１が受ける加速度、イヤホン本体１が電気信号を機械振動に変換する際の負荷の変化、などを検出し、その検出データを制御部２へ供給する。この制御部２は、入力された装着状態のデータに基づき、例えば、イヤホン本体１へ供給する電気信号の出力、タイミング、等を制御する。
【００１５】
本発明の最少構成例にかかるイヤホンの制御装置について、図２を参照して説明する。
符号１は、制御の対象となるイヤホン本体である。このイヤホン本体１は、駆動部４から供給される電気信号を機械振動に変換することによって、音声を出力する。前記駆動部４の出力は、制御部２によって制御され、この制御部２は、検出部３により検出された装着状態に関するデータが入力される。また前記制御部２には、記憶部５が接続されており、該記憶部５には、前記イヤホン本体１を身体に装着した際の過去の装着状態のデータ、例えば、イヤホン本体１を人体に装着した際に受ける圧力、イヤホン本体１が受ける加速度、イヤホン本体１が電気信号を機械振動に変換する際の負荷の変化、が記憶されている。
前記制御部２は、記憶部５に記憶された装着状態のデータと、現在の装着状態のデータとを比較し、過去の装着状態の内、所定のデータ、例えば、良好な装着状態と評価されたデータと一致するかを判断する。制御部２は、例えば、良好な装着状態と判断した場合、駆動部４を制御してイヤホン本体１へ音声を再生する電気信号を供給し、良好な装着状態と判断しなかった場合は、例えば、装着状態の調整を促す警報の出力、音声出力の停止等の制御を行う。
【００１６】
また本発明の最少構成例にかかるイヤホンの制御方法にあっては、下記の工程が実行される。
例えば、検出部３を用いて、イヤホン本体の人体への装着状態を検出し、検出された装着状態のデータを記憶部５に記憶し、検出部３に検出された装着状態と、予め検出され、記憶部５に記憶された過去の装着状態のデータとを比較して、過去の装着状態、例えば、所定の品質による再生が行われたと評価された装着状態のデータと一致する場合には、駆動部４によりイヤホン本体１を駆動して再生を行い、一致しない場合には、装着状態を変更（改善）することを促す旨を音声や光学的手段により報知する。
【００１７】
以下、図３〜図５を参照して本発明の第１実施形態を説明する。なお図１、２と共通の構成要素には同一符号を付し、説明を簡略化する。
本発明の実施例を図１に示す。イヤホン本体１０１は、電気信号を機械振動に変換するヴォイスコイル、振動素子を内蔵し、図示の場合、発生した音声を伝達すべく外耳道へ挿入される、チューブ状のイヤピース１０１ａを備えている。またイヤホン本体１０１は、装着状態を検出する検出部としての、圧力センサ３０１〜３０５を備える。
前記圧力センサのうち、符号３０１〜３０４で示すものは、イヤホン本体１０１の周囲に配置され、人体の耳介の内側の皮膚の一部に接触し、また、符号３０５で示すものは、イヤピース１０１ａが挿入される外耳道入口の周囲に接触し、各々接触圧力を検出する。前記イヤホン本体１０１を耳（以下、外耳道内外、耳介内側の皮膚など、凡そイヤホン本体、イヤピースが接触する可能性のある部分の全てを含むものとする）に装着した際に、圧力センサ３０１〜３０５が耳と接触し、圧力が発生する。この圧力を圧力センサ３０１〜３０５が測定し、図４に示す制御部２へ測定データが供給される。なお、図１では圧力センサが筐体表面に露出した図となっているが、樹脂筐体などで筐体がゆがみ、筐体内部でも圧力を測定できる場合は、圧力センサがイヤホン本体を構成する筐体内部にあってもよい。
【００１８】
図４に本実施例のブロック図を示す。イヤホン本体１０１は、スマートホン、パーソナルコンピュータ、音楽プレーヤ（ＣＤプレーヤ等の再生装置）などの音源１０２に電気ケーブル、Ｂｌｕｅｔｏｏｔｈ（登録商標）の規格などを用いた無線通信により接続される。イヤホン本体１０１には、制御部としてのＣＰＵ（Central Processing Unit）２０１と、記憶部としてのメモリ２０２と、電気信号を機械振動に変換して音声を出力するスピーカー２０３と、圧力センサ３０１〜３０５が設けられる。ＣＰＵ２０１は、音源１０２とＢｌｕｅｔｏｏｔｈ（登録商標）等での通信を行う通信制御部と、音源１０２から受信した音源データをデコードする音声コーデックと、圧力センサ３０１〜３０５を制御する機能を具備する。ＣＰＵ２０１のコーデックでデコードされた音源データは、例えば、中間に設けられた電力増幅器等の駆動部を経由して、スピーカー２０３から再生される。また前記ＣＰＵ２０１には、スイッチ２０４が接続され、このスイッチ２０４は、例えば使用者がイヤホンの使用開始の意志表示として操作ボタン等（図示略）を操作すること、あるいは、イヤホンのコネクタ（図示略）を音源に接続することによって連動して操作される方式であっても良い。
【００１９】
前記圧力センサ３０１〜３０５は、ＣＰＵ２０１に接続され、ＣＰＵ２０１は圧力センサ３０１〜３０５からイヤホンと耳が接触した際の圧力を出力する。メモリ２０２はＣＰＵ２０１に接続され、ＣＰＵ２０１が圧力センサ３０１〜３０５から読み取ったデータを保存する。
本第１実施形態では、圧力センサは上／下／左／右／内側の５つとしたが、センサの数を増減してもよい。
【００２０】
第１実施形態のイヤホンおよび制御装置の動作について図３のフローチャートを用いて説明する。
ステップＡ１０１……使用者がイヤホン本体１０１を初めて耳に装着し、使用者がイヤホン本体１０１を適当な位置に装着したと判断すると、制御がスタートする。（このステップでは使用者がイヤホン本体を装着する操作を待って待機している）
ステップＡ１０２……使用者がスイッチ２０４を押下すると、ＣＰＵ２０１が制御を開始する。ステップＡ１０３……ＣＰＵ２０１が圧力センサ３０１〜３０５によって計測された圧力データを読み取る。
ステップＡ１０４……ＣＰＵ２０１が前記圧力データをメモリ２０２に保存する。前記ステップＡ１０２におけるメモリ２０２への圧力データの保存は、スイッチ押下をトリガとして実行してもよいし、イヤホン本体１０１にマイクロホン（図示略）が具備される場合は、このマイクロホンに取り込まれた音声の信号を認識して、これを保存指示のトリガとしても良い。
ステップＡ１０５……前述の操作によって使用者がイヤホンを装着すると、ＣＰＵ２０１は圧力センサ３０１〜３０５の値を読み取る。
【００２１】
ステップＡ１０６……ＣＰＵ２０１は、圧力センサ３０１〜３０５の全て、あるいは幾つかで圧力が検出されなくなったか判断する。圧力が検出されている場合はステップＡ１０５に戻り、圧力センサデータの読み込みを繰り返す。
ステップＡ１０７……ＣＰＵ２０１は、圧力が検出されなくなった場合、イヤホンが耳から外されたと判断し、スピーカー２０３への出力を停止し、イヤホンの音声出力を停止する。
ステップＡ１０８……イヤホン取り外し中でも、イヤホンの電源が投入されていた場合は、圧力センサ３０１〜３０５によるデータの読み込みを繰り返す。
ステップＡ１０９……圧力センサ３０１〜３０５が何らかの圧力を検出するかを判断する。圧力が検出されなかった場合は、ステップＡ１０８に戻り圧力センサデータの読み込みを繰り返す。
ステップＡ１１０……何らかの圧力が検出された場合、ＣＰＵ２０１は、イヤホンが装着されたと判断して、スピーカー２０３から音声出力を開始する。
【００２２】
ステップＡ１１１……イヤホンが装着されたとの判断により、ＣＰＵ２０１は圧力センサ３０１〜３０５の値を計測する。
ステップＡ１１２……ＣＰＵ２０１は、計測された値と、予めメモリ２０２に保存されていた値（ステップＡ１０１において、使用者が適当な位置にあると判断した場合にステップＡ１０３で読み取られた圧力データ）と比較する。
ここで、測定された圧力値と保存された圧力値に差がある場合は、
ステップＡ１１４……スピーカー２０３から装着位置を調整するように音声指示を出力し、ステップＡ１１１に戻り、測定値と保存値が一致するまで指示を続ける。
またステップＡ１１２にて測定された値と保存された値とが一致した場合、ＣＰＵ２０１は、前回と同一の装着位置に装着されたと判断する。同一位置に装着された後は、ステップＡ１０５に戻り処理を繰り返す。すなわち、イヤホンの装着状態の監視を継続する。
【００２３】
なお、ステップＡ１０４でのデータ保存は、Ｂｌｕｅｔｏｏｔｈ（登録商標）を通じて、接続先のスマートホンやパーソナルコンピュータなどの音源１０２のメモリに保存してもよいし、音源１０２が上位のサーバに接続される場合は、サーバのメモリにデータを保存してもよい。
【００２４】
この第１実施形態にあっては、ステップＡ１０１〜ステップＡ１１４の各処理を行うことで、イヤホンの付け外しを行っても毎回同じ場所にイヤホンを装着することが可能となる。またイヤホンを同じ場所に装着することで、装着の都度、同じ装着状態（耳との接触状態、より具体的には、外耳道、さらにはその奥の鼓膜に対する角度、外耳道への接触圧力）が同じ場合に期待される同一の音響特性を得ることができ、したがって、使用者が良好な再生状態と認識した装着状態を維持して快適に音楽等を鑑賞することができる。
【００２５】
なお、図５のステップＡ１０２におけるスイッチ２０４の操作を条件とする圧力データの記憶に代えて、過去の装着時の圧力データをメモリ２０２に蓄積しておき、その平均値、最終使用時の最後の圧力データを自動的に正常な装着の判断の基準となる圧力データとして選択して採用しても良い。このような基準データの自動的な選択により装着の手順を簡略化して使用者の負担を軽減することも有効である。
【００２６】
本発明の第２実施形態を図６、７を参照して説明する。なお図１〜５と共通の構成要素には同一符号を付し、説明を簡略化する。
図６は、装着状態を検出するセンサとして、第１の実施例の圧力センサ３０１〜３０５に代わって、タッチセンサ（例えば電気接点の接触の有無により２値データを出力する接触センサ）３０１’〜３０５’を使用した制御装置のブロック図である。
前記タッチセンサ３０１’〜３０５’は、ＣＰＵ２０１に接続される。これらタッチセンサ３０１’〜３０５’のイヤホン本体への実装位置は、図３の第１実施例と同じである。なお、図６に示す第２実施形態では、タッチセンサの数は５つとしているが、タッチセンサでは、接触圧力ではなく、イヤホンが耳の肌にタッチしているか、していないかの判別しかできないため、センサの数を多くして、より多くの地点でのタッチの有無を検出することにより、正確に装着状態を判断することが望ましい。
【００２７】
第２実施形態の動作について図７のフローチャートを用いて説明する。この第２実施形態の基本的な動作は、前述の第１実施例と同様である。以下に、使用者の操作に伴う一連の制御を制御装置の制御方法とともに説明する。
ステップＡ１０１にて使用者がイヤホンを初めて耳に装着し、使用者が適当な位置に装着されたと判断したときに、ステップＡ１０２にて使用者がスイッチ２０４を押下すると、ステップＡ１０３’にてＣＰＵ２０１は、タッチセンサ３０１’〜３０５’のタッチ情報を読み取り、ステップＡ１０４にてメモリ２０２に保存する。なおタッチセンサ３０１’〜３０５’から得られるのは二値データの列であるから、メモリ２０２には、さほど大きな記憶容量は必要とされない。
すなわち第１実施形態で圧力センサのデータが読み込まれていたステップＡ１０３に代えて、第２実施形態のステップＡ１０３’では、タッチセンサのデータが読み込まれる。
【００２８】
イヤホンの装着中に、ステップＡ１０５’にてＣＰＵ２０１はタッチセンサ３０１’〜３０５’の値を読み取り、ステップＡ１０６’にてタッチセンサ３０１’〜３０５’の全て、あるいは幾つかでタッチが検出されなくなったか判断する。タッチが検出されなくなった場合、ステップＡ１０７にてイヤホンが耳から外されたと判断し、イヤホンの音声出力を停止する。タッチが検出されている場合はステップＡ１０５’に戻り、タッチセンサデータの読み込みを繰り返す。
イヤホン取り外し中であっても、イヤホンの電源が投入されていた場合は、ステップＡ１０８’にてタッチセンサデータの読み込みを繰り返す。ステップＡ１０９’にてタッチが検出された場合、イヤホンが装着されたと判断して、ステップＡ１１０にてＣＰＵ２０１はスピーカー２０３から音声出力を開始する。圧力が検出されなかった場合は、ステップＡ１０８に戻りタッチセンサデータの読み込みを繰り返す。
すなわち第１実施形態で圧力センサの値を読み込んで、圧力ゼロの検出の有無を判定していたステップＡ１０５、ステップＡ１０６に代えて、第２実施形態のステップＡ１０５’、ステップＡ１０６’では、タッチセンサのデータを読み込んで、タッチポイントがゼロ（いずれのタッチセンサも接触を検知していない）か否かを判定する。
【００２９】
イヤホンが装着された場合、ステップＡ１１１’にて、ＣＰＵ２０１はタッチセンサ３０１’〜３０５’の値を計測し、ステップＡ１１２にてメモリ２０２に保存されていた値と比較する。測定値と保存値に差がある場合は、ステップＡ１１４にてスピーカー２０３から装着位置を調整するように音声指示を出力する。ステップＡ１１１’に戻り、測定値と保存値が一致するまで指示を続ける。ステップＡ１１２にて測定値と保存値が一致した場合、前回と同一の装着位置に装着されたと判断する。本実施例でも、イヤホンを同一の位置に装着することが可能となる。
すなわち第１実施形態で圧力センサのデータが読み込まれていたステップＡ１１１に代えて、第２実施形態のステップＡ１１１’では、タッチセンサのデータが読み込まれる。
【００３０】
なお、図７のステップＡ１０２における、スイッチ２０４の操作を条件とする圧力データの記憶に代えて、過去の装着時のタッチセンサ３０１’〜３０５’のデータ（２値データの組み合わせ）をメモリ２０２に蓄積しておき、蓄積されたデータの内、最も頻度の高い組み合わせ、あるいは、最終使用時の最後の２値データを自動的に正常な装着の判断の基準となるデータとして選択して採用しても良い。このような基準データの自動的な選択により装着の手順を簡略化して使用者の負担を軽減することも有効である。
【００３１】
本発明の第３実施形態を図８〜１０を参照して説明する。なお図１〜７と共通の構成要素には同一符号を付し、説明を簡略化する。
本第３実施形態では、イヤホン本体１０１”に３軸加速度センサ３０１”を内蔵する。加速度センサ３０１”は、ＸＹＺ軸（互いに交差する３軸方向）の重力加速度を測定し、その重力加速度の相関からイヤホンの傾きを検出する。加速度センサによる傾きの測定については、公知の技術のため詳細な説明は省略するが、一般に、質量に作用する異なる方向へそれぞれ作用する力（による変位）を電気抵抗、静電容量等の電気信号に変換し、この電気信号を解析することにより、重力加速度を測定することができる。また前記加速度センサ３０１”に加えて、イヤホンの取り外しを検出するために、イヤホンの外耳道の周囲等の耳の表面の一部との接触を検出するタッチセンサ３０２”を備える。
【００３２】
第３の実施例のブロック図を図９に示す。加速度センサ３０１”及びタッチセンサ３０２”はＣＰＵ２０１に接続され、ＣＰＵ２０１はこれらのセンサの値を計測する。
本第３実施形態の動作を図１０のフローチャートを使用して説明する。基本的な動作は前述の第１実施形態、第２実施形態と同様である。
ステップＡ１０１にて使用者がイヤホンを初めて耳に装着し、使用者が適当な位置に装着されたと判断したときに、ステップＡ１０２にて使用者がスイッチ２０４を押下すると、ステップＡ１０３”にてＣＰＵ２０１は加速度センサ３０１”から傾き情報を読み取り、ステップＡ１０４にてメモリ２０２に保存する。
すなわち第１実施形態で圧力センサのデータが読み込まれていたステップＡ１０３に代えて、第３実施形態のステップＡ１０３”では、加速度センサのデータが読み込まれる。
【００３３】
イヤホン装着中には、ステップＡ１０５”にてＣＰＵ２０１はタッチセンサ３０２’の値を読み取り、ステップＡ１０６”にてタッチセンサ３０２”にタッチが検出されなくなったか判断する。タッチが検出されなくなった場合、ステップＡ１０７にてイヤホンが耳から外されたと判断し、イヤホンの音声出力を停止する。タッチが検出されている場合はステップＡ１０５”に戻り、タッチセンサデータの読み込みを繰り返す。
すなわち第１実施形態で圧力センサの値を読み込んで、圧力ゼロの検出の有無を判定していたステップＡ１０５、ステップＡ１０６に代えて、第２実施形態のステップＡ１０５’、ステップＡ１０６’と同じく、第３実施形態のステップＡ１０５”、１０６”では、タッチセンサのデータを読み込んで、タッチポイントがゼロ（いずれのタッチセンサも接触を検知していない）か否かを判定する。
【００３４】
イヤホン取り外し中であっても、イヤホンの電源が投入されていた場合は、ステップＡ１０８”にてタッチセンサデータの読み込みを繰り返す。ステップＡ１０９”にてタッチが検出された場合、イヤホンが装着されたと判断して、ステップＡ１１０にてＣＰＵ２０１はスピーカー２０３から音声出力を開始する。圧力が検出されなかった場合は、ステップＡ１０８に戻りタッチセンサのデータの読み込みを繰り返す。
イヤホンが装着された場合、ステップＡ１１１”にてＣＰＵ２０１は加速度センサ３０１”の値を計測し、ステップＡ１１２にてメモリ２０２に保存されていた値と比較する。測定値と保存値に差がある場合は、ステップＡ１１４にてスピーカー２０３から装着位置を調整するように音声指示を出力する。ステップＡ１１１”に戻り、測定値と保存値が一致するまで支持を続ける。ステップＡ１１２にて測定値と保存値が一致した場合、前回と同一の装着位置に装着されたと判断する。本第３実施形態にあっても、イヤホンを同一の位置に装着することが可能となる。
すなわち、第３実施形態のステップＡ１０８”、ステップＡ１０９”では、タッチセンサのデータを読み込んでタッチの有無を判定し、タッチしたと判定した場合には、第１実施形態で圧力センサのデータが読み込まれていたステップＡ１１１に代えて、ステップＡ１１１”では、加速度センサのデータが読み込まれる。
【００３５】
なお、図１０のステップＡ１０２におけるスイッチ２０４の操作を条件とする加速度データの記憶に代えて、過去の装着時の加速度センサ３０２”のデータをメモリ２０２に蓄積しておき、蓄積されたデータの平均値、あるいは、最終使用時の最後の加速度データを自動的に正常な装着の判断の基準となるデータとして選択して採用しても良い。このような基準データの自動的な選択により装着の手順を簡略化して使用者の負担を軽減することも有効である。
【００３６】
なお、イヤホン本体、イヤピースの具体的形状は上記実施形態に限定されるものではない。
また、圧力センサ、タッチセンサ、加速度センサの数、配置は前記第１〜第３実施形態に限定されるものではなく、イヤホン本体の形状、使用状況に応じて適宜変更しても良いのはもちろんである。
また、イヤホン本体に設けられるイヤピースの変形、あるいはイヤピースが受ける圧力を装着状態の判定に用いても良い。
【００３７】
また、装着状態の適否の判定結果は、音声のみならず、単なる振動、あるいは、音源としてのスマートホン、パーソナルコンピュータ、音楽プレーヤ等に光学的に表示しても良く、要は、使用者の五感に判定結果を伝えることができる構成であれば良い。
また、単に装着状態の適否の判定を行うのみならず、例えば、接触圧力が小さい場合に、「イヤホンをさらに押し込んで下さい」との情報を音声により報知すること、接触圧力が大きい場合に、「イヤホンを引き出して下さい」、あるいは「音源の音量を絞って下さい」といった、さらに積極的な情報を使用者に提供しても良い。
また、複数のセンサから情報に基づき、一部のセンサに検出された圧力が過大あるいは過少と判断される場合に、「イヤホンを上向き、下向き、前寄り、あるいは後寄りに調整して下さい」とった情報を使用者に提供しても良い。
【００３８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３９】
本発明は、人体に装着されて音源の電気信号を音声信号に変換して伝達するイヤホンに適用することができる。
【符号の説明】
【００４０】
１  イヤホン本体
２  制御部
３  検出部
４  駆動部
５  記憶部
１０１  イヤホン本体
１０２  音源
１０１ａ  イヤピース
２０１  ＣＰＵ（制御部）
２０２  メモリ（記憶部）
２０３  スピーカー
２０４  スイッチ
３０１〜３０５、圧力センサ
３０１’〜３０５’  タッチセンサ
３０１”  加速度センサ
【図１】
2020150320.tif 000003
【図２】
2020150320.tif 000004
【図３】
2020150320.tif 000005
【図４】
2020150320.tif 000006
【図５】
2020150320.tif 000007
【図６】
2020150320.tif 000008
【図７】
2020150320.tif 000009
【図８】
2020150320.tif 000010
【図９】
2020150320.tif 000011
【図１０】
2020150320.tif 000012